(57)【特許請求の範囲】
【請求項１】
同軸Ｆ型プラグコネクタと接続するための同軸Ｆ型レセプタクルコネクタであって、
一端に開口部を有し他端の中央に貫通孔を有する底壁を有し、外周がねじ切りされており、内部に円筒状の空間を有する外部導体と、
絶縁材により一端で互いに連結された外側円筒部およびこの外側円筒部より軸方向長の短い内側円筒部による同軸二重円筒形に形成されて両者間にリング状空間を形成し前記一端の中央にプラグ導入用ガイド部を有し、前記外側円筒部により摺動するように前記外部導体の前記空間に収容され、前記内側円筒部の反連結端に先端にいくほど薄肉になる断面くさび状の端部が形成された絶縁摺動筒と、前記外部導体の底壁と係合し、前記絶縁摺動筒を所定範囲で摺動可能に支持しかつ前記終端素子を保持する固定部材と、
前記絶縁摺動筒内に保持され、プラグコネクタの中心導体と接触するための内側導体と、
前記絶縁摺動筒における前記リング状空間に収容されるコイルスプリング、およびこのコイルスプリングの伸長力により前記外部導体の底壁に向けて押圧されるように設けられ、常時は前記外部導体と前記内側導体との間に接続されている終端素子と、
をそなえ、
プラグコネクタの挿入により前記絶縁摺動筒が前記外部導体の底壁に向かって押し込まれると、前記断面くさび状に形成された内側円筒部の端部が前記内側導体と前記終端素子との間に割り込んで両者を離間させるようにした終端型同軸コネクタ。
【請求項２】
同軸線路コネクタの外部導体と中心導体との間に接続される抵抗素子が組み合わされて同軸線路を終端する終端型レセプタクルコネクタにあって、
絶縁材により形成され、前記レセプタクルコネクタの内部にプラグ導入用ガイド部を有するスリーブ状の絶縁摺動筒があり、
前記絶縁摺動筒は、その外径が前記外部導体の内径に略等しい第１のスリーブと、その内径が前記中心導体の外径より大きい第２のスリーブとが同軸状に組まれた二重スリーブ構造であり、
前記第１のスリーブと前記第２のスリーブとは、その両者を連結する部分の端面にプラグ導入用ガイド部を有し、かつ該プラグ導入用ガイド部は前記第１のスリーブと前記第２のスリーブとの間に配されたスプリングにより前記外部導体の端面よりも突出するように作用力を受けており、前記第１のスリーブと前記第２のスリーブとの間に前記抵抗素子が挿入され、その一端は前記レセプタクルコネクタの外部導体に接触しており、他端は前記レセプタクルコネクタの中心導体に接触して終端されており、
前記レセプタクルコネクタにプラグコネクタが挿入された場合に、該プラグコネクタの端面が、前記プラグ導入用ガイド部を軸方向に押すことにより、前記絶縁摺動筒が外部導体端面方向に摺動し、これにより前記抵抗素子と前記中心導体との間に前記絶縁摺動筒の一部が介在して前記外部導体と前記中心導体との間の接続が電気的に遮断されるように構成されたことを特徴とする終端型同軸コネクタ。
【請求項３】
同軸線路コネクタの外部導体と中心導体との間に抵抗素子が接続される終端型レセプタクルコネクタにあって、
前記レセプタクルコネクタの内部にプラグ導入用ガイド部を有する絶縁物によるスリーブ状の絶縁摺動筒があり、
前記絶縁摺動筒は、その外径が前記外部導体の内径に略等しい第１のスリーブと、その内径が前記中心導体の外径より大きい第２のスリーブとが同軸状に組まれた二重スリーブ構造であり、
前記第１のスリーブと前記第２のスリーブとはその端面にプラグ導入用ガイド部を有し、かつ該プラグ導入用ガイド部は前記第１のスリーブと前記第２のスリーブとの間に配したスプリングにより前記外部導体の外に突出しており、
前記第１のスリーブと前記第２のスリーブとの間に前記抵抗素子が挿入され、その一端は前記レセプタクルコネクタの外部導体に接触しており、他端は前記レセプタクルコネクタの中心導体に接触して終端されており、
前記抵抗素子に前記中心導体が接続される機構として、
前記コネクタの中心導体は、一対の山形に曲げられたバネ性を有する金属舌片からなり、前記抵抗素子を前記外部導体の内面にバネ力で固定するようにして前記抵抗素子の一端が前記中心導体の山形の膨らみ部分に接触しており、かつ前記抵抗素子の一端は前記外部導体の内面に接して前記絶縁摺動筒にスプリングを介して固定され、これにより前記レセプタクルコネクタにプラグコネクタが挿入された場合に前記絶縁摺動筒が前記外部導体の端面方向に摺動して前記抵抗素子と前記金属舌片との間に前記絶縁摺動筒の一部が介在することにより、前記外部導体と前記中心導体との間の接続が電気的に遮断されることを特徴とする終端型同軸コネクタ。
【請求項４】
請求項１ないし３に記載の終端型同軸コネクタにおいて、
前記抵抗素子に直列に容量素子が接続されてなる終端型同軸コネクタ。
【請求項５】
請求項１ないし３に記載の終端型同軸コネクタにおいて、
前記抵抗体が、円筒状の膜型抵抗体である終端型同軸コネクタ。
【請求項６】
請求項４に記載の終端型同軸コネクタにおいて、
前記容量素子が、円筒状である終端型同軸コネクタ。
【発明の詳細な説明】
【０００１】
【発明の属する技術分野】
本発明は、同軸線路コネクタの外部導体と中心導体との間に抵抗素子などが接続される終端型同軸コネクタに係り、とくにＣＡＴＶおよびＴＶ等の共聴設備の信号分配器、または信号分岐器の加入者用端子コネクタとして用いられる、レセプタクル（雌型）コネクタに関する。
【０００２】
【従来の技術】
ＴＶ共聴設備とかＣＡＴＶ用施設において、いわゆるヘッドエンドからの広帯域高周波信号、例えば５〜１，０００ＭＨｚ帯域の多チャンネルＴＶ信号を同軸ケーブルを用いて各家庭に供給するために、広い周波数帯域を持つ分岐器、分配器が利用される。この場合、信号を分配して行くうちに、信号レベルは分配損およびケーブル損失のため、漸次減衰して行く。この補償用に、適当な位置に広帯域増幅器を配し、所定レベルまで増幅した上で再伝送、再分配を行うのが通例である。この場合、ケーブルには信号の外に増幅器用の電力を重畳して供給することが多い。
【０００３】
このような設備では、これらの分岐・分配器が多段に縦続接続されることから、分岐分配器の入力端子の整合が悪いと接続ケーブルの電気長により劣化した特性が重ね合わされる結果、設備全体の特性としてある周波数が極端に劣化することがある。この入力インピーダンスの特性の劣化は、信号に振幅歪みや位相歪みを生ずることとなり、信号の品質劣化を引き起こす。
【０００４】
図９は、ＣＡＴＶ用施設の構成例を模型的に示したもので、図１０はこのような施設に使われる電力通過型の分岐・分配器の回路構成例を示したものである。この回路において、入力端ＩＮからは高周波信号および電源電力が入力されるが、低周波数である電源電力は電流阻止用コンデンサＣ１，Ｃ２で阻止されて、分岐・分配回路には流入せずにチョークコイルＬを通過して出力端ＯＵＴに向かう。一方、高周波信号はチョークコイルＬのインダクタンスが充分大きいとみなせる周波数領域の信号であるから、チョークコイルＬで阻止されてコンデンサＣ１を通って分岐回路（方向性結合器）を通過し、さらにコンデンサＣ２を通って出力端ＯＵＴに出力される。
【０００５】
ここで、一部の信号は方向性結合器の分岐端Ｂに現れる。この分岐端Ｂの信号は、図示のように２ないし８端子に分配した分配器の出力を各家庭に分配することもあるし、分岐端Ｂの出力をそのまま幹線分岐として用いることもある。
【０００６】
図１１に、一つの特性例として、入力対分岐端Ｂの出力比を−５．０ｄＢ、その後４分配した場合の出力が−１１ｄＢとなる分岐・分配器の入力端におけるリターンロスの特性例を示す。この分岐・分配器の入力インピーダンスは、各端子とも７５オームである。そこで、出力端子と各分配端子とを、それぞれ７５オームの抵抗で全て終端した場合の入力端のリターンロス（＃１）を基準にして、分配出力端子の終端抵抗を１端子（＃２）から４端子（＃５）まで順次外し、各端子を順次開放状態にした場合の特性を示している。この特性図から解るように、図１０に示すような分岐・分配器の加入者端子に、引き込み線が接続されない端子（空き端子）が存在する場合、図１１の特性例のようにその分岐・分配器の入力端に反射波が現れることになる。
【０００７】
反射量は、分岐量の少ない分岐器と分岐量の比較的多い分岐器とで違いがあり、分岐量の多い方がその影響が大きくなる。一般にＣＡＴＶ用施設にあっては、運用開始後の加入者増を見込んで、予め当初の実加入端子より多めの加入者端子を設けておくため、この空き端子は当初数多く存在し、その後減少していくことになる。また、一旦加入したもののその後に解約したために生ずる空き端子も存在する。
【０００８】
従来、これらの空き端子には、図１２に示すような抵抗の付いた終端器を図１３に示すようなコネクタに接続し、入力端子での反射を防止している。
【０００９】
しかし、中には何らかの理由により使われない端子が、そのまま開放状態の空き端子として放置されている場合がある。この場合、前述のように反射が生じて振幅歪みや位相歪みを生ずることとなり、信号の品質劣化を引き起こす。このことは、ＴＶゴーストを生じたり、デジタル信号によるデータサービスにおいて例えばビットエラー等の障害の原因となる問題がある。
【００１０】
なお、図１３に示した、通称Ｆ型コネクタと呼ばれるレセプタクルコネクタは、比較的構造が簡単であって安価であるため、ＣＡＴＶ用機器には汎用されており、その筐体とレセプタクルコネクタの外部導体とを一体成形の手法により製作したり、また筐体とは別個に製作したレセプタクルコネクタを、筐体にカシメもしくはねじ込みなどによって取り付けたりしている。
【００１１】
【発明が解決しようとする課題】
前述の理由から、ＣＡＴＶ用施設等にあっては、機器の空き端子に別途に終端器を接続しなくても入力の反射がないように終端され、また反対に引き込み線を接続した場合は、自動的に終端しない状態になる装置が必要である。そのとき、終端抵抗にコネクタの中心導体が並列に接続されていると、高い周波数で機器の特性の劣化を来たすので、このような浮遊リアクタンスが並列に入ることを避けるために、できるだけコネクタの中心導体の先端部で終端する装置が望ましい。
【００１２】
さらに、この終端装置を接続したときに、引き込み線が接続された状態で分岐・分配器の特性の劣化、それによる回線全体の劣化が生ずることがないようにする必要がある。そのために、装置の浮遊リアクタンスをできる限り少なくすることが課題である。
【００１３】
本発明は上述の点を考慮してなされたもので、浮遊リアクタンスが最少限であって広い周波数帯域にわたり信号の劣化がなくデジタル信号も取り扱える終端型同軸コネクタを提供することを目的とする。
【００１４】
【課題を解決するための手段】
上記目的達成のため、本発明では、
同軸Ｆ型プラグコネクタと接続するための同軸Ｆ型レセプタクルコネクタであって、一端に開口部を有し他端の中央に貫通孔を有する底壁を有し、外周がねじ切りされており、内部に円筒状の空間を有する外部導体と、絶縁材により一端で互いに連結された外側円筒部およびこの外側円筒部より軸方向長の短い内側円筒部による同軸二重円筒形に形成されて両者間にリング状空間を形成し前記一端の中央にプラグ導入用ガイド部を有し、前記外側円筒部により摺動するように前記外部導体の前記空間に収容され、前記内側円筒部の反連結端に先端にいくほど薄肉になる断面くさび状の端部が形成された絶縁摺動筒と、前記外部導体の底壁と係合し、前記絶縁摺動筒を所定範囲で摺動可能に支持しかつ前記終端素子を保持する固定部材と、前記絶縁摺動筒内に保持され、プラグコネクタの中心導体と接触するための内側導体と、前記絶縁摺動筒における前記リング状空間に収容されるコイルスプリング、およびこのコイルスプリングの伸長力により前記外部導体の底壁に向けて押圧されるように設けられ、常時は前記外部導体と前記内側導体との間に接続されている終端素子と、をそなえ、プラグコネクタの挿入により前記絶縁摺動筒が前記外部導体の底壁に向かって押し込まれると、前記断面くさび状に形成された内側円筒部の端部が前記内側導体と前記終端素子との間に割り込んで両者を離間させるようにした終端型同軸コネクタ、
を提供するものである。
【００１５】
すなわち、まず同軸線路コネクタの外部導体の内面と中心導体との間に、終端素子を電気的に接触した形で配置する。そして、終端素子は、外部導体の内面に接して前後に摺動するスリーブ状の絶縁物による絶縁摺動筒にスプリングを介して固定し、同軸線路コネクタの中心導体は一対の山形に曲げられたバネ性金属舌片を使用し、そのバネ力を利用して絶縁摺動筒を外部導体の内面に押し付けると同時に、抵抗素子の一端を山形の膨らみ部分に接触させて終端状態を保ち、一方プラグコネクタが挿入された場合に絶縁摺動筒が外部導体の端面方向に摺動することにより終端素子と中心導体である金属舌片との接触を、絶縁摺動筒の介入によって電気的に離れる構造とすることにより解決を図る。そして、この絶縁摺動筒の介入によって、中心導体に挿入されるプラグコネクタの中心導体であるケーブルの芯線が強力に保持されることにもなる。
（作用）
同軸線路レセプタクルコネクタにおいて、プラグ導入用ガイド部を有するスリーブ状の絶縁摺動筒があり、このプラグ導入用ガイド部をスプリングにより予め外部導体の外側に飛び出させておいた状態で、コネクタの外部導体と中心導体との間に抵抗素子が接続される。そして、抵抗素子に中心導体が接続される機構として、同軸線路コネクタの中心導体の一部は、一対の山形に曲げられたバネ性を有する金属舌片からなり、終端素子を外部導体内面にバネ力で固定するようにして終端素子の一端が中心導体の山形の膨らみ部分に接触しており、かつ終端素子の一端は外部導体の内面に接して前後に摺動する絶縁摺動筒にスプリングを介して固定しておき、プラグコネクタが挿入された場合に、プラグコネクタの端面によって、絶縁摺動筒のプラグ導入用ガイド部をコネクタ内部方向に押し、終端素子と金属舌片との間に絶縁摺動筒の一部を介在させることにより外部導体と中心導体との間の接続が電気的に遮断されるようにする。
【００１６】
【発明の実施の形態】
（実施例１）
以下、Ｆ型レセプタクルコネクタを例にとり、その詳細を説明する。
【００１７】
図１は、本発明の終端型同軸コネクタの一実施例の横断面を示している。そして、図１では中心より下がプラグコネクタを取り付けていないときの、コネクタの内部構造を示しており、上半分がプラグコネクタを取り付けた状態の内部構造を示している。また図１では、右側が入力端、すなわちプラグコネクタがねじ込まれる側である。そして、図１下半分のプラグコネクタが接続されない状態では、図１のレセプタクルコネクタの中心導体の一部である接触片が抵抗素子の一端に接触して、他端が同じくレセプタクルコネクタの外部導体に接触している。終端素子として、同軸ケーブルの特性インピーダンスと等しい値の高周波抵抗を用いて整合した終端を行う。この図１の実施例では、終端素子として２本の１５０Ωのチップ抵抗素子を図の上下に配置して、並列接続を実現し７５Ωとして用いた。
【００１８】
そこで、図１上半分のプラグコネクタが接続された状態では、レセプタクルコネクタの中心導体が終端素子の一端と接触している部分に、絶縁摺動筒の一部が介入することにより、電気的に切り離される構造となっている。
【００１９】
この図１において、１はレセプタクルコネクタの外部導体（シェル）を示しており、この外部導体１の周囲にプラグコネクタのリングがねじ込まれるためのネジが切ってある。そして、２は絶縁摺動筒、３は抵抗素子、４はスプリング、５はレセプタクルコネクタの中心導体（金属舌片）を示している。
【００２０】
絶縁摺動筒２の構造は、その外径が外部導体の内径に略等しいスリーブ２−１と、その内径が中心導体における山形の膨らみ部５−３の間隔より大きいスリーブ２−２とが同軸状に組まれた絶縁物の二重スリーブ状であり、その軸上の長さはスリーブ２−１がもう一つのスリーブ２−２より長く、しかもスリーブ２−１とスリーブ２−２とはその端面のプラグ導入用ガイド部２−３により連結されている。プラグ導入用ガイド部２−３には、その中心部にプラグコネクタの中心導体をレセプタクルコネクタの中心導体５に当接させるように案内するための、開口部がすり鉢状をした貫通孔が設けられている。
【００２１】
絶縁摺動筒２は、樹脂一体成形あるいはテフロン等の絶縁材の棒の切削により製作される。そして、スリーブ２−１とスリーブ２−２との間に、軸方向にコイル状スプリング４を配置し、このコイル状スプリング４の作用によりプラグ導入用ガイド部２−３をレセプタクルコネクタの外部導体端面開口部より一定長押し出すようにしている。なお、コイル状スプリング４は、絶縁材で製作することにより金属の場合よりも浮遊リアクタンスを減少でき、コネクタとしての特性を良好にできる。
【００２２】
また、レセプタクルコネクタの中心には、中心導体５が絶縁材製の固定部材６によって固定されており、中心導体５の一端にはプラグコネクタの中心導体と接触する受入部５−１が設けられ、他端つまりレセプタクルコネクタの後端には、半田付けあるいは接触などによって電気回路と接続する端子５−２が設けられており、かつ中心導体の中央部には抵抗素子の一端と接触する山形の膨らみ部５−３が備えられている。また、コイル状のスプリング４の応力によって抵抗素子３ａを押圧し、レセプタクルコネクタの外部導体１０の内面に抵抗素子３ａの他端が接触するようにしている。
【００２３】
また、絶縁摺動筒２の一部であるプラグ導入用ガイド部２−３は、外部導体１０の端面開口部より一定長だけ軸外方に押し出されているが、プラグ導入用ガイド部２−３がコネクタ内部に押し込まれると、スリーブ２−１および同２−２も軸上を摺動し、スリーブ２−２が、中心導体接触片と抵抗素子の一端とが接触する膨らみ部５−３との間を絶縁し、終端が外れるようになっている。このとき、プラグコネクタの中心導体はレセプタクルコネクタの中心導体５のバネ力によって保持されて中心導体同士の接触を確保すると同時に、絶縁摺動筒２が膨らみ部５−３と抵抗素子３ａの端部との間に介入することにより、より強力にプラグコネクタの中心導体が保持される。
【００２４】
図２（ａ）、（ｂ）および（ｃ）ならびに図３は、図１の実施例における終端素子、金属舌片、絶縁摺動筒と、それらの関係を詳細に示したものである。まず図２（ａ）は、内側導体５を示したものである。この中心導体５は、１枚の細長い条片をほぼ中央で折り曲げて重ね合わせ、開放端をプラグコネクタの中心導体を受け入れる受入部５−１とし、重ね合わせた部分を端子５−２とする。この受入部５−１は、細長い条片の２つの端部を開くとともに、その幅方向両端を相手側条片に向かって曲げて、プラグコネクタの中心導体に対するガイドとなるようにほぼ円形穴を囲む舌片状に形成する。そして、受入部５−１から中心導体５の中央部分まで、両条片間にほぼ菱形の空間を形成するように２つの条片間を互いに反対方向に山形に曲げる。この山形の頂点が図１で示したように終端素子３の一端に接触する。さらに、条片の重ね合わせ部のやや中央寄りには切り起こし５−４を設ける。
【００２５】
この切り起こし５−４は、図２（ｂ）に示すように、中心導体５に固定部材６を端子５−２側から挿入していったときに、固定部材６の端面に係止して抜け止め作用をするものである。これにより、固定部材６は中心導体５に強固に固定される。
【００２６】
そして、固定部材６は、小径円筒部６−１とこの小径円筒部６−１に対して段をなす大径略円筒部６−２とを有する。小径円筒部６−１は外部導体の底壁に開けられた穴に嵌合し、大径略円筒部６−２は絶縁摺動筒２の外側円筒部の内周面に当接する。そして、大径略円筒部６−２はその一部が切り欠かれており、これにより切り欠き部６−３が形成され、またこの切り欠き部６−３からほぼ円周方向に９０度離れた位置に突起６−４が形成されている。
【００２７】
この切り欠き部６−３は、図２（ｃ）に示すように、終端素子３を収容するものであり、また突起６−４も同じく図２（ｃ）に示すように、絶縁摺動筒２の係合穴２−４に嵌入して、絶縁摺動筒２を軸方向に所定範囲摺動させるように支持するものである。
【００２８】
図３は、図２（ｃ）の過程を経て絶縁摺動筒２が固定部材６と結合された後の絶縁手動筒２を外部導体１に装着する状態を示している。これには、端子５−２が外部導体１に明けられた一部が突出した変形円形穴に入り込むように絶縁摺動筒２を外部導体１の円筒内に挿入すると、絶縁摺動筒２の端子５−２寄りの端部に設けられた係止片２−５が変形円形穴の変形部に係合して絶縁摺動筒２が外部導体１に固定される。これにより、絶縁摺動筒２はその軸方向に所定距離摺動できるだけの状態で外部導体１に固定される。
【００２９】
（実施例２）
図４は、本発明の他の実施例の横断面を示したもので、図４の右側が入力端、すなわちプラグコネクタがねじ込まれる側である。そして、その動作は図１の実施例１と同じであるから符号も同一にして示してある。また、図４も図１と同様に、中心より下がプラグコネクタを取り付けていないときの内部構成を示しており、上半分がプラグコネクタを取り付けた状態の内部構造を示している。そして、抵抗素子３ａと直列に容量素子３ｂが接続されていることは図７の実施例と同じであるが、図１の実施例と図４の実施例との違いは、抵抗素子３ａと直列の容量素子３ｂは、共に円筒型の構造をしていることである。
【００３０】
図５（ａ）、（ｂ）および（ｃ）ならびに図６は、図４の実施例の内部要素の詳細構造、ならびにその取り付け状況を、図２（ａ）、（ｂ）および（ｃ）ならびに図６と同様に示したものである。この図５（ａ）、（ｂ）および（ｃ）において、終端素子としての抵抗素子３の円筒基板はアルミナ円筒であり、その表面は窒化タンタルを蒸着した抵抗体で、両端に銀を蒸着して端子として抵抗素子３ａを形成している。また、図５において、容量素子３ｂの円筒基板は、例えばチタン酸バリウム製の高誘電率を持つものであり、その円筒の表面と内部には銀を蒸着してコンデンサを形成し、両端は同じく銀を蒸着して端子としている。
これらの円筒状の部材を用いるのは、図１の実施例１のように同軸上で抵抗体がある場所に集中していると、浮遊リアクタンスを持ち高い周波数での特性が劣化するので、円筒状の分布定数型の部品とすることにより、準ＴＥＭ波の伝播を維持しながら終端するためである。そして、図６は、図３と同様に、図５に示した各要素を組み立てて外部導体１に組み込む直前の状態を示している。
【００３１】
（実施例３）
図７は、本発明のさらに他の実施例の横断面を示し、図７の右側が入力端、すなわちプラグコネクタがねじ込まれる側であり、左側は筐体にねじ込まれるための螺旋が切ってある。そして、その機能は図１の実施例１と同じであるから、符号も同一にして示してある。また、図７も図１と同様に、中心より下半分がプラグコネクタを取り付けていないときのコネクタの内部を示しており、上半分がプラグコネクタを取り付けた状態の内部構造を示している。図１の実施例と図７の実施例との違いは、抵抗素子３ａと直列に容量素子３ｂが接続されていることである。
【００３２】
その目的は、プラグコネクタ側から低周波の電力、例えばＢＳコンバータやブースタアンプに供給するための電力が同軸ケーブルに重畳されている場合の焼損防止である。すなわち、図１の実施例ではプラグコネクタの中心導体がレセプタクルコネクタの中心導体に触れた瞬間、抵抗素子３ａに電力電流が流れて抵抗素子３が焼損するが、これを防止するために容量素子３ｂが設けられている。
【００３３】
図８は、本発明の各実施例の終端特性を示したものである。この図８に示すように、上記各実施例は、図４で右、すなわちコネクタの入力側から先端方向に入射したＴＥＭ波に対し、ＤＣないし３ＧＨｚの範囲で、反射減衰量２０ｄＢ以上を示している。これにより本発明は、終端型同軸コネクタ側から送信する信号に対しても、また、電力を重畳した場合であっても利用できる。
【００３４】
上記実施例ではテレビジョン共聴設備に関する説明を行ったが、本発明に係る装置は、機器の内部に影響することなくコネクタの中で終端処理でき、ケーブルテレビの機器以外にもコネクタとして利用できる。
【００３５】
【発明の効果】
本発明は上述のように、広い周波数帯域を持ち、ＴＶ共聴設備用機器のみならず、ローカルエリアネットワーク（ＬＡＮ）などのデジタル信号を主とする同軸ケーブルを用いた信号回線の機器用コネクタとしても経済的に利用できる。
また、本発明に係る装置の副次的効果として、中心導体に挿入されるケーブルの芯線つまり中心導体を強力に保持できることがある。
【図面の簡単な説明】
【図１】本発明の一実施例を示す縦断面図。
【図２】図１の実施例の内部要素の構造を示す図であり、図２（ａ）は中心導体の斜視図、図２（ｂ）は中心導体に固定部材を組み付けた状態の斜視図、および図２（ｃ）はさらに絶縁摺動筒を組み付けた状態の斜視図。
【図３】図１の実施例における外部導体に内部要素を組み付ける状態の斜視図。
【図４】本発明の他の実施例を示す縦断面図。
【図５】図４の実施例の内部要素の構造を示す図であり、図５（ａ）は中心導体の斜視図、図５（ｂ）は中心導体に固定部材を組み付けた状態の斜視図、および図５（ｃ）はさらに絶縁摺動筒を組み付けた状態の斜視図。
【図６】図４の実施例における外部導体に内部要素を組み付ける状態の斜視図。
【図７】本発明の他の実施例を示す縦断面図。
【図８】本発明の各実施例の終端特性を示す特性図。
【図９】従来の、分岐・分配器を用いたＴＶ共聴システムを示す図。
【図１０】従来のＴＶ共聴システムに使用される分岐器の回路構成図。
【図１１】従来のＴＶ共聴システムに使用される分岐器の特性と空き端子がある場合の特性変化を示す図。
【図１２】従来のＴＶ共聴システムに使用される空き端子用ターミネータの構造を説明する図。
【図１３】従来のＴＶ共聴システムに使用されるＦ型コネクタ（レセプタクルコネクタ）の構造を説明する図。
【符号の説明】
Ｂ  分岐器の分岐端子
Ｃ  コンデンサ
ｄ  シェル部の全体の深さ
ｆ  周波数
ｈ  抵抗体のシェルからの高さ
ＩＮ  入力（入力端）
Ｌ  インダクタンス（チョークコイル）
Ｒ／Ｌ  反射減衰量（ｄＢ）
Ｍ  金属板
ＯＵＴ  出力（出力端）
ｓ  反射係数
Ｔ  高周波トランス
１  外部導体
２  絶縁摺動筒
２−１  外側円筒部
２−２  内側円筒部
２−３  連結部
２−４  係合穴
２−５  係止片
３  終端素子
３ａ  抵抗素子
３ｂ  容量素子
４  コイルスプリング
５  中心導体
５−１  受入部
５−２  端子
５−３  膨らみ部
５−４  切り起こし
６  固定部材
１０  プラグコネクタ中心導体
【図１】
0003685898.tif 000002
【図２】
0003685898.tif 000003
【図３】
0003685898.tif 000004
【図４】
0003685898.tif 000005
【図５】
0003685898.tif 000006
【図６】
0003685898.tif 000007
【図７】
0003685898.tif 000008
【図８】
0003685898.tif 000009
【図９】
0003685898.tif 000010
【図１０】
0003685898.tif 000011
【図１１】
0003685898.tif 000012
【図１２】
0003685898.tif 000013
【図１３】
0003685898.tif 000014